(57)【要約】【課題】カメラ自体の小型軽量化に伴ってパワーバッテリーホルダーも小型軽量化が要請されているにも拘らず、大型化することなく防水仕様とすることが難しい。【解決手段】パワーバッテリーホルダー１０は、バッテリー保持本体１２とバッテリー室１２ｂとを備えている。バッテリー室１２ｂは、バッテリー１１が挿入される挿入口１２ｂ１をカメラ後方側に有し、挿入口よりバッテリーがカメラ前方へ挿入され挿入口から奥へ挿入されたバッテリーの先端１１ａがカメラ底面から下方に離れるように、バッテリー保持本体１２に形成されている。そのため、バッテリー室１２ｂの奥から挿入口１２ｂ１にかけてバッテリー保持本体の底壁１２ｄを緩やかに肉厚に形成され、防水シール１３を配置可能な厚さが挿入口の周囲に確保できる。【選択図】図５
2009008702.tif 000002
【特許請求の範囲】
【請求項１】
カメラの底面に固定され、電力を供給するために外部からバッテリーが挿抜可能なパワーバッテリーホルダーにおいて、
上記カメラの底面にカメラ左右方向に沿うような長方形形状を有し、カメラ底面において上記カメラ前面より前方に突出して形成され、内部に上記バッテリーを保持可能なバッテリー保持本体と、
上記バッテリーが挿入される挿入口を上記カメラ後方側に有し、該挿入口より上記バッテリーがカメラ前方へ挿入され該挿入口から奥へ挿入された上記バッテリーの先端が上記カメラ底面から下方に離れるように上記バッテリー保持本体に形成されたバッテリー室と、
を備えることを特徴とするパワーバッテリーホルダー。
【請求項２】
上記挿入口の周囲に防水シールが設けられて防水仕様となっていることを特徴とする請求項１記載のパワーバッテリーホルダー。
【請求項３】
複数のバッテリーが平行して上記バッテリー保持本体に装填可能となっていることを特徴とする請求項１または２記載のパワーバッテリーホルダー。
【請求項４】
上記カメラに設けられたバッテリー室に挿入され、該バッテリー室に設けられた一連の接点に接続される一連の接点を有する上方に延びた上方突出部をさらに備えることを特徴とする請求項１〜３のいずれか記載のパワーバッテリーホルダー。
【請求項５】
カメラ前方に延びた前方突出部をさらに備え、該前方突出部は上記カメラを縦位置に構えたときのグリップとなることを特徴とする請求項１〜４のいずれか記載のパワーバッテリーホルダー。
【発明の詳細な説明】
【技術分野】
【０００１】
本発明は、バッテリーを内部に装填し、カメラの底面に固定されてカメラに電力を供給するパワーバッテリーホルダーに関する。
【背景技術】
【０００２】
一眼レフレックスカメラなどのカメラにおいては、外部から電力を供給するために、その内部にバッテリーの装填されたパワーバッテリーホルダー（外部電源装置）がカメラの底面に固定されることが可能である。
【０００３】
図５（Ａ）は、公知のパワーバッテリーホルダーの縦断面の模式図を示し、パワーバッテリーホルダー１１０は、その内部にバッテリー１１１を保持するバッテリー保持本体１１２を備え、バッテリー室１１２ｂがバッテリー保持本体に形成されている。バッテリーの挿入口１１２ｂ１がカメラ背面側（撮影者側）でバッテリー保持本体１１２に設けられ、バッテリー室蓋(後蓋)１１２ｃがバッテリー保持本体にヒンジ止めされている。たとえば、特開２００１−０２１９７４号公報記載のように、一対のバッテリー１１１が、挿入口１１２ｂ１からバッテリー室１１２ｂに挿入されて、カメラの左右方向で平行にバッテリー室に保持される。
パワーバッテリーホルダー１１０は、カメラを縦に構えたときのグリップとなる前方突出部１１６を備え、この前方突出部は滑り止めのグリップカバー１１６ａで覆われている。グリップカバー１１６ａは硬質ゴムなどから成形される。
【０００４】
図５（Ｂ）は、防水仕様とした公知のパワーバッテリーホルダーの縦断面の模式図を示し、防水シール（パッキング）１１３がバッテリーの挿入口１１２ｂ１の周囲にバッテリー保持本体１１２に環状に配置されている。防水シール１１３と対向する位置で環状リブ１１２ｃ１がバッテリー室蓋１１２ｃの裏面（内面）に一体成形されており、バッテリー室蓋の閉塞時には、この環状リブが防水シール１１３を圧接し変形させることにより、バッテリー室１１２ｂの液密が確保される。
【特許文献１】特開２００１−０２１９７４号公報
【発明の開示】
【発明が解決しようとする課題】
【０００５】
カメラ自体の小型軽量化に伴ってアクセサリー（附属品）としてのパワーバッテリーホルダー（外部電源装置）も小型軽量化が要請されている。しかしながら、公知の構成においては、大型化することなく防水仕様とすることが難しい。
すなわち、図５（Ｂ）に示すように、防水仕様とするためには防水シール１１３がバッテリーの挿入口１１２ｂ１の周囲にバッテリー保持本体１１２に配置されるため、バッテリー保持本体の底壁１１２ｄは防水シール１１３の配置を許容する厚さを持つ必要がある。そのため、バッテリー保持本体の底壁１１２ｄの厚さが防水シールの厚さｔ相当分だけ厚くなり、パワーバッテリーホルダー１０の大型化が避けられない。
また、バッテリー保持本体の底壁１１２ｄの肉厚が厚くなることによってカメラの前後方向における前方突出部（グリップ）１１６の把持幅ｄが大きくなり、前方突出部が掴み難くなる。
【０００６】
この発明は、大型化することなく防水仕様（防滴仕様も含む）とすることが可能なパワーバッテリーホルダーの提供を目的としている。
【課題を解決するための手段】
【０００７】
本発明においては、挿入口側でバッテリー保持本体の底壁が肉厚となるように、バッテリー室がカメラ底面に対して傾斜してバッテリー保持本体に形成されている。
すなわち、請求項１に係る本発明によれば、パワーバッテリーホルダーは、バッテリー保持本体とバッテリー室とを備えており、バッテリー保持本体はカメラの底面にカメラ左右方向に沿うような長方形形状を有し、カメラ底面においてカメラ前面より前方に突出して形成され、内部にバッテリーを保持可能となっている。そして、バッテリー室は、バッテリーが挿入される挿入口をカメラ後方側に有し、該挿入口よりバッテリーがカメラ前方へ挿入され該挿入口から奥へ挿入されたバッテリーの先端がカメラ底面から下方に離れるようにバッテリー保持本体に形成されている。
【発明の効果】
【０００８】
請求項１に係る本発明では、バッテリー室に挿入されたバッテリーの先端がカメラ底面から下方に離れて位置するように、バッテリー室を傾斜して形成しているため、防水シールの厚さ相当分だけ底壁を厚くすることなく防水シールが挿入口の周囲に配置でき、大型化することなく防水仕様のパワーバッテリーホルダーが得られる。
【発明を実施するための最良の形態】
【０００９】
本発明では、パワーバッテリーホルダーは、バッテリー保持本体とバッテリー室とを備えており、バッテリー保持本体はカメラの底面にカメラ左右方向に沿うような長方形形状を有し、カメラ底面においてカメラ前面より前方に突出して形成され、内部にバッテリーを保持可能となっている。そして、バッテリー室は、バッテリーが挿入される挿入口をカメラ後方側に有し、挿入口よりバッテリーがカメラ前方へ挿入され挿入口から奥へ挿入されたバッテリーの先端がカメラ底面から下方に離れるようにバッテリー保持本体に形成されている。つまり、挿入口側でバッテリー保持本体の底壁が肉厚となるように、バッテリー室がカメラ底面に対して傾斜してバッテリー保持本体に形成されている。
【実施例】
【００１０】
以下、図面を参照しながら本発明の各実施例を詳細に説明する。図１、図２は、カメラに固定された本発明の一実施例に係るパワーバッテリーホルダーの正面図、矢印Ａ方向から見た側面図を示す。図３は図２の矢印Ｂ方向からのパワーバッテリーホルダーのみの斜視図を示す。
【００１１】
パワーバッテリーホルダー（外部電源装置）１０は一眼レフレックスカメラ(カメラ)２０の底面２０ａに着脱自在に固定されている。すなわち、パワーバッテリーホルダー１０は、その内部にバッテリー１１を保持するバッテリー保持本体１２を備えている。そして、接点台となる上方突出部１４がバッテリー保持本体１２の上面から上方に延び、一眼レフレックスカメラ（カメラ）の底面２０ａに開口したカメラのバッテリー室に下方から上方突出部１４が嵌合し、バッテリー保持本体上面の三脚ネジ１２ａがカメラ底面のねじ穴に螺着することによってパワーバッテリーホルダー１０がカメラ底面に固定されている。
【００１２】
上方突出部（接点台）１４はその上端部に一連の接点１４ａを有し、上方突出部がカメラ２０のバッテリー室に嵌合されることにより、パワーバッテリーホルダー側の接点１４ａが対応するカメラ側の一連の接点に接続される。
【００１３】
バッテリー保持本体１２は、カメラの底面２０ａにカメラ左右方向に沿うような長方形形状を有し、カメラ底面においてカメラ前面より前方に突出して形成されている。前方に突出したバッテリー保持本体の前方突出部１６はカメラ２０を縦位置に構えたときに把持されるグリップとなり、その表面は、硬質ゴムなどからなるグリップカバー１６ａで覆われている。
たとえば、バッテリー保持本体１２は前カバー１２Ｆと後カバー１２Ｒとに分割して成形され、前方突出部１６は前カバーに形成されている。
【００１４】
バッテリー保持本体１２には、複数のバッテリー１１が挿入、装填されるバッテリー室１２ｂが形成されており、実施例では、２つのバッテリーが左右方向(横方向)で平行にバッテリー室に挿抜可能に装填されている。バッテリー１１を左右方向(横方向)で平行に装填する配列では、バッテリー保持本体１２、つまりは、パワーバッテリーホルダー１０の厚み（カメラの上下方向の長さ）を増すことなく、複数のバッテリーをバッテリー室１２ｂに装填、保持できる。
【００１５】
外部からバッテリー１１がパワーバッテリーホルダーのバッテリー室に１２ｂに挿入、装填されれば、上方突出部（接点台）１４がカメラのバッテリー室に嵌合されてパワーバッテリーホルダー側、カメラ側の接点どうしが接続されているため、パワーバッテリーホルダー１０からカメラ２０への電力の供給が可能となる。
【００１６】
バッテリー１１の挿入される挿入口１２ｂ１がカメラ後方側でバッテリー室１２ｂに設けられており、この挿入口は、バッテリー保持本体１２にヒンジ止めされた後蓋（バッテリー室蓋）１２ｃによって閉塞可能となっている。
【００１７】
図４は、バッテリー室蓋を閉じた状態での図３の線Ｃ−Ｃに沿ったパワーバッテリーホルダーの断面図を示す。
バッテリー１１は、開放されたバッテリー室蓋１２ｃを介して挿入口１２ｂ１からバッテリー室１２ｂの奥に挿入される。バッテリー保持本体の底壁１２ｄの一部となるバッテリーガイド１２ｄ１が、下補強板１２ｄ２を介して底壁上に配置されることによって側壁はバッテリー室１２ｂの奥から挿入口に向かって緩やかに肉厚となっている。そのため、バッテリー室１２ｂの奥に挿入されたバッテリーの先端１１ａは、カメラの底面から下方に離反して挿入される。すなわち、カメラに装填された撮影レンズ３０の光軸Ｏと非平行にバッテリー１１が傾斜して装填される。
【００１８】
環状溝１２ｄ１が挿入口１２ｂ１の周囲にバッテリー保持本体１２の端面に環状に形成され、この環状溝に防水シール(パッキング)１３が嵌合され、埋め込まれている。また、バッテリー保持本体の防水シール１３に対向して、バッテリー室蓋１２ｃの裏面に環状リブ１２ｃ１が凸状に形成され、バッテリー室蓋を閉じると、環状リブが防水シールを圧接することによってバッテリー室１２ｂの液密が確保される。
【００１９】
なお、１１ｂはバッテリー室１２ａの上面に設けられたバッテリー上蓋、１１ｃはバッテリー飛び出しばねの付勢力に抗してバッテリーをバッテリー室内にロックするバッテリーロックばね、１１ｄはバッテリー室１２ａの奥面に設けられて挿入口方向への付勢力をバッテリー１１に加えるバッテリー飛び出しばねをそれぞれ示す。
【００２０】
図５（Ｃ）は、従来技術である図５（Ａ）（Ｂ）に対する本発明のパワーバッテリーホルダーの縦断面の模式図を示す。本発明では、挿入口１２ｂ１から奥に挿入されたバッテリーの先端１１ａがカメラ底面２０ａから下方に離れるようにバッテリー室１２ａは傾斜して形成されている。そのため、バッテリー室１２ｂの奥から挿入口１２ｂ１にかけてその肉厚が厚くなるようにバッテリー保持本体の底壁１２ｄを形成でき、挿入口１２ｂ１の周囲に防水シール１３を配置可能な厚さを確保できる。したがって、防水シールの厚さｔ相当分だけバッテリー保持本体の底壁を厚くすることなく防水シール１３が挿入口１２ｂ１の周囲に配置でき、大型化することなく防水仕様のパワーバッテリーホルダー１０が得られる。
【００２１】
防水シールの厚さｔ相当分だけバッテリー保持本体の底壁を厚くする必要がないため、カメラの前後方向における前方突出部（グリップ）１６の把持幅が大きくならず、前方突出部１６が掴み難くなることもない。そのため、防水仕様のパワーバッテリーホルダー１０においても、防水仕様でないときと同様な感覚で前方突出部１６を把持して縦位置で撮影できる。
【００２２】
上記のように、本発明では、バッテリー室に挿入されたバッテリーの先端がカメラ底面から下方に離れて位置するように、バッテリー室がカメラ底面に対して傾斜しているため、バッテリー保持本体の底壁が挿入口側で肉厚に成形できる。そのため、挿入口側で肉厚となったバッテリー保持本体の底壁を有効に利用することにより、防水シールの厚さ相当分だけ底壁を厚くすることなく防水シールが挿入口の周囲に配置でき、大型化することなく防水仕様のパワーバッテリーホルダーが得られる。
【産業上の利用可能性】
【００２３】
本発明は、電力を大量に消費する一眼レフレックスカメラなどのカメラに組み合わせて使用されるパワーバッテリーホルダーに広範囲に応用できる。
【図面の簡単な説明】
【００２４】
【図１】カメラに固定された本発明の一実施例に係るパワーバッテリーホルダーの正面図を示す。
【図２】カメラに固定された本発明の一実施例に係るパワーバッテリーホルダーの図１の矢印Ａ方向から見た側面図を示す。
【図３】図２の矢印Ｂ方向から見たパワーバッテリーホルダーのみの斜視図を示す。
【図４】バッテリー室蓋を閉じた状態での図３の線Ｃ−Ｃに沿ったパワーバッテリーホルダーの断面図を示す。
【図５】（Ａ）は公知のパワーバッテリーホルダーの縦断面の模式図、（Ｂ）は防水仕様とした公知のパワーバッテリーホルダーの縦断面の模式図、（Ｃ）は（Ａ）（Ｂ）に対応する本発明のパワーバッテリーホルダーの縦断面の模式図を示す。
【符号の説明】
【００２５】
１０、１１０  パワーバッテリーホルダー（外部電池装置）
１１、１１１  バッテリー
１１ａ    バッテリーの先端
１２、１１２  バッテリー保持本体
１２ｂ    バッテリー室
１２ｂ１    挿入口
１２ｃ、１１２ｃ  バッテリー室蓋（後蓋）
１２ｄ、１１２ｄ  底壁
１２ｄ１    バッテリーガイド
１３、１１３  防水シール（パッキング）
１４    上方突出部（接点台）
１６、１１６  前方突出部（グリップ）
２０    一眼レフレックスカメラ（カメラ）
２０ａ    カメラの底面
３０    撮影レンズ
Ｏ      撮影レンズの光軸
ｔ      防水シールの厚さ
【図１】
2009008702.tif 000003
【図２】
2009008702.tif 000004
【図３】
2009008702.tif 000005
【図４】
2009008702.tif 000006
【図５】
2009008702.tif 000007